(57)【特許請求の範囲】
【請求項１】
繊維布帛の少なくとも片面に反射材料を付与してなる、インクジェットプリンター用の宣伝、広告印刷用透け防止素材。
【請求項２】
前記透け防止素材の繊維布帛面に印刷を施す請求項１記載の宣伝、広告印刷用透け防止素材。
【請求項３】
反射材料が金属光沢を有する請求項１または２記載の宣伝、広告印刷用透け防止素材。
【請求項４】
反射材料の可視光線領域の透過率が７％以下である請求項１〜３のいずれかに記載の宣伝、広告印刷用透け防止素材。
【発明の詳細な説明】
【０００１】
【発明の属する技術分野】
本発明は、透け防止素材に関する。特に、本発明は、広告幕などに用いた場合に絵や文字が裏面から透けて見えることを防止することのできる透け防止素材に関する。
【０００２】
【従来の技術】
従来、宣伝広告用の幕や装飾用に使用する幕は、壁面へ設置するのが主であった。しかし、近年の広告幕の利用範囲は、壁面への設置に止まらず、店内のフラフや博物館、展示場を初めとするイベント会場のディスプレイ用途にと多岐に亘っている。そのため、以前は幕の表面のみが視野に入っていたものが、表裏面共に視野に入るようになり、幕の表裏を問わずその品位が問われるようになった。その品位のひとつとして、幕の表面に付与された絵や文字が裏面から透けて見えることは好まれず、改善が望まれている。
【０００３】
具体的には、一方の面のみに絵や文字が付与された幕においてそれらの絵や文字が裏面から透けて見えるのは好まれず、さらに表裏両面に絵や文字が付与されたものであっても、デザイン上ベース色として白色、淡色または中色が使用されたものでは、裏面から表面のデザインが透けて見えやすく、さらに屋外やライトアップされた場所で用いた場合には、光が強いためにより一方の面の陰影が表面に透けてしまい、表面の絵や文字の見栄え損ねる。
【０００４】
この問題に対する対策としては、一般に、透け感の少ない厚手織物を広告幕の素材として用いている。また、幕を重ねあわせ、両面に絵や文字が存在する幕では、幕の間に黒またはグレーの紙や織物を挟み、表面の絵や文字が裏面から透けて見えないように、また裏面の絵文字が表面から透けて見えないようにする方法が採用されている。
【０００５】
【発明が解決しようとする課題】
しかし、上記の方法では次のような問題点があり、満足な性能が得られていなかった。
（イ）厚手の織物を広告幕として用いても、裏面への透けを完全に防止することは不可能である。
【０００６】
（ロ）透け感を完全に抑えるため幕の裏面または２枚の幕の間に黒またはグレーの紙や織物を用いる方法では、幕表面の白度や発色の低下を招き、広告幕の品位を低下させる。
（ハ）また、柔軟性のない紙、フィルム等を用いる方法では、がさついた風合いとなり幕本来の風合いやドレープ性までも損ねることとなる。
【０００７】
本発明は、これらの問題点を解決し、表面や裏面の絵や文字等の図柄が反対側の裏面や表面から透けて見えることのない透け防止繊維素材を提供しようとするものである。
【０００８】
【課題を解決するための手段】
上記課題を解決するため、本発明は繊維布帛の少なくとも片面に反射材料を付与してなる、インクジェットプリンター用の宣伝、広告印刷用透け防止素材を提供する。
【０００９】
【発明の実施の形態】
本発明に用いる繊維布帛としては、ポリエステル、ポリアミド、アクリル、レーヨンなどの化学繊維や綿、ウールなどの天然繊維からなるものまたはこれらを混用したものが用いられる。特に、繊維布帛としては、幕を取り付け、設置後、温度、湿度等の変動に対する寸法安定性が保たれるポリエステル繊維からなるものが好ましい。また、繊維布帛の形態としては織物、編物、不織布等のいずれの形態であってもよく、特に限定されるものではない。
【００１０】
また、本発明に用いる反射材料としては、酸化チタン、硫酸バリウムなどの白色の高反射材料を用いることができるが、好ましくは金属光沢を有するものが用いられる。金属光沢を有する材料を用いると、光の透過率は金属光沢を有さない反射材料に比べ劣っている場合においても、実際に幕にして用いた場合に透け感がなく、さらに幕に付与された絵や文字の発色性および鮮明性が向上する。よって、インクジェットなどにより印刷され印刷濃度がやや低いものに対して本発明の素材を用いると発色性および鮮明性が向上し、なおよい。
【００１１】
具体的には、金属光沢を有する材料としては、銀、アルミニウム、銅、金、亜鉛、錫、ニッケルなどの金属材料を用いることができる。また、これらの中でも、白度という観点からは、白銀色の銀、アルミニウム、ニッケル等が好ましく用いられる。
これらの反射材料の光透過率は、可視光線領域で３０％以下であるのが好ましい。また、金属光沢を有さないものにおいては７％以下であるのがよい。
【００１２】
繊維布帛への反射材料の付与方法としては、繊維布帛に対し、直接蒸着により付与する方法や、ポリエステルフィルム等のフィルム上へ一度反射材料を蒸着させ、その後バインダー樹脂を用いて繊維基材へ転写する方法、樹脂の中に反射材料を添加し、直接繊維布帛にコーティングする方法などが挙げられる。これらの方法により作られた透け防止素材は、幕としての風合いも良好である。
【００１３】
また、金属光沢を有する反射材料を用い、これを樹脂とともに繊維布帛に付与する場合にはなるべく透明な樹脂を用いるのがよい。
以下に、上記の方法で得た透け防止素材を幕に使用する場合を例にとってさらに説明する。
１）絵や文字が付与された幕を本発明の透け防止素材と重ねあわせ、四方にもしくは面全体（ドット状も含む）に接着剤を塗布して張り合わせ、または糸等を用いて縫い合わせて使用する。この際、反射材料面が絵や文字が付与された幕側にあってもそうでなくてもよいが、発色性および鮮明性の観点からは幕側にあったほうがよい。
【００１４】
２）２枚の絵や文字が付与された幕の間に本発明の透け防止素材を配置し、四方にもしくは面全体（ドット状も含む）に接着剤を塗布して張り合わせ、または糸等を用いて縫い合わせて使用する。この場合、透け防止素材としては繊維布帛の両面に反射材料を付与したものを用いてもよい。
３）本発明の透け防止素材の繊維布帛面に直接絵や文字を付与する。この際、反射材料を繊維布帛ではさみ込んだ透け防止素材を製造し、両面に直接絵や文字を付与してもよい。
【００１５】
本発明の素材は、上記の例に述べた使用法だけに限定されず、例えば上記のものの組み合わせなどの種々の方法により使用することができる。
絵や文字の付与方法としては公知の方法を用いることができ、手描き、スクリーン印刷、転写マーク、インクジェト等の種々の方法により付与することができる。
【００１６】
【発明の効果】
本発明の透け防止素材を用いれば、片面の絵や文字が他面から透けて見合えることがなく、高品位の広告用の幕や装飾品を得ることができる。また、幕の両面に絵や文字を付与することもできるので、有効に広告用の幕として利用することもでき、意匠性にも優れる。
【００１７】
また、絵や文字の発色性および鮮明性も向上するため、淡い絵や文字もはっきりと見え、このような面においての意匠性も向上し、インクジェットを用いた印刷物などに用いた場合にさらに製品の品位を向上させることができる。
【００１８】
【実施例】
以下、本発明の透け防止素材を広告用の幕に取り付ける場合の実施例並びにその比較例を説明する。
実施例１
タテ密度８２本／インチ、ヨコ密度９０本／インチ、糸使い７５デニール／３６フィラメントのポリエステルポンジ織物の晒し加工品に対し、厚み１５ミクロン、可視光線の透過率が１％のアルミニウム蒸着膜を転写によりその片面に付与し、透け防止素材を得た。
【００１９】
また、タテ密度１８６本／インチ、ヨコ密度１０５本／インチ、糸使い１５０デニール／２４フィラメントのポリエステル平織物にウレタン樹脂よりなる水凝固膜を付与し、次にインクジェットプリンターを用いて、フルカラー印画し、絵と文字の図柄が付与された幕を得た。この幕の裏面を上記で得られた透け防止素材の反射材料面と重ね合わせ、四方をホットメルト樹脂でカバーし、貼り合わせて、広告用の幕を得た。
【００２０】
この絵と文字の図柄が付与された幕と透け防止素材とを一体とした物では、広告用の幕の表面の絵と文字が裏側から透けて見えることがなかった。また、透け防止素材が布帛としての好ましい性能も有しているため、幕との貼り合わせでも広告幕としての風合いが保たれていた。
実施例２
実施例１で使用したのと同様の透け防止素材と２枚の絵と文字の図柄を付与した幕を準備した。次に、２枚用意したこれらの絵と文字の図柄を付与した幕の印画面が各々表になるようにして透け防止素材と重ね合わせ、実施例１と同様の方法で貼り合わせて、広告用の幕を得た。得られた広告用の幕では各々の面の絵や文字が他方の面から透けて見えることなく、両面の絵や文字とも高品位が保たれていた。また、絵や文字を付与した幕の裏面が透け防止素材の反射材料と貼り合わされた面は、繊維布帛面と比べ優れた白度と鮮明性を有していた。
【００２１】
実施例３
タテ密度８２本／インチ、ヨコ密度９０本／インチ、糸使い７５デニール／３６フィラメントのポリエステルポンジ織物の晒し加工品に対し、その片面に厚み１５ミクロン、可視光線の透過率が１％のアルミニウム蒸着膜を転写し、さらに他の面にウレタン樹脂よりなる水凝固膜を付与し、透け防止を有する幕を得た。この透け防止素材の水凝固膜面にインクジェットプリンターを用いて、フルカラー印画し、絵と文字の図柄が付与された広告用の幕を得た。
【００２２】
この広告用の幕では、絵文字を付与した面を表面とし、その裏面に反射材面を有し、表面の絵と文字が裏面から透けて見えることはなかった。また、この幕は布帛としての好ましい性能を有しており、広告幕としての利用が可能であった。
実施例４
実施例１で使用したのと同様の絵と文字の図柄を付与した幕を１枚と、実施例３で使用したのと同じ透け防止機能を有する幕１枚を用意し、絵と文字の図柄が付与された広告用の幕を得た。この２種の幕の印画面が各々表になる様に重ね合わせ、重ね合わせ面の全面に接着剤を塗布し、貼り合わせて、広告用の幕を得た。
【００２３】
この広告幕では、各々の面の絵や文字が他方の面から透けて見えることはなく、両面の図柄とも高品位が保たれていた。
実施例５
実施例３で得たのと同じ絵と文字の図柄が付与された広告用の幕を２枚用意し、印画面が各々表になるように重ね合わせ、重ね合わせ面全面にドット状に接着剤を塗布し、貼り合わせて、広告用の幕を得た。
【００２４】
この広告用の幕では、各々の面の絵と文字が他方の面から透けて見えることがなく、両面の図柄ともに高品位が保たれていた。
実施例６（参考例）
タテ密度８２本／インチ、ヨコ密度９０本／インチ、糸使い７５デニール／３６フィラメントのポリエステルポンジ織物の晒し加工品に対し、厚み１０ミクロン、可視光線の透過率が２％のニッケルを蒸着によりその片面に付与して透け防止素材を得た。さらに、タテ密度８２本／インチ、ヨコ密度９０本／インチ、糸使い７５デニール／３６フィラメントのポリエステル平織物の晒し加工品にスクリーンプリントにより絵と文字をプリントし、発色およびソーピング処理を行い、絵と文字の図柄が付与された幕を得た。この幕の裏面全面にドット状に接着剤を塗布し、上記で得られた透け防止素材の反射材料面と貼り合わせて、広告用の幕を得た。
【００２５】
この広告用の幕では、表面の絵と文字が裏面から透けて見えることがなかった。
比較例１
厚めの繊維布帛としてタテ糸密度５２本／インチ、ヨコ糸密度４４．５本／インチ、糸使い４７５デニール／１４４フィラメントのポリエステル平織物を用い、透け防止素材を用いなかった以外は、実施例１と同様の方法にて広告用の幕を得た。
【００２６】
この広告用の幕では、表面の絵と文字の濃い部分が裏面から透けて見える結果となった。
比較例２
透け防止素材として厚さ３００ミクロンの黒紙を用いた以外は、実施例１と同様にして広告用の幕を得た。
【００２７】
この広告用の図柄付与幕と黒紙との一体化物では、裏面への絵文字の透けはなかったが、絵文字の白とベージュ色部分の色が黒紙の影響を受けてグレーがかり、広告用の絵と文字の品位が低下した。また、広告幕が持っている風合いが紙と張り合わせたことによりそのしなやかさが失われて低下し、ペーパーライクな風合いになった。
【００２８】
上記で得られた結果を下記の表にまとめて示す。
【００２９】
【表１】
0003601941.tif 000002